(57)【要約】  食品を収容する容器。容器は、中央パネルを有するフランジを備えることができる。開口は、中央パネル内に延在することができる。容器は、中央パネルに折り曲げ可能につながっているパネルを少なくとも有する側壁と、側壁から外方に延在する分離構成とを有することができる。分離構成は、積載配置において容器の下に位置決めされる被連結容器と係合するものであるとともに、フランジと被連結容器との間に分離隙間を形成するものとすることができる。【選択図】図１
2021533041.tif 000002
【特許請求の範囲】
【請求項１】
食品を収容する容器であって、
中央パネルを有するフランジであって、前記中央パネル内を開口が延在する、フランジと、
前記中央パネルに折り曲げ可能につながっているパネルを少なくとも有する側壁と、 
前記側壁から外方に延在する分離構成であって、該分離構成は、積載配置において前記容器の下に位置決めされる被連結容器と係合するものであるとともに、前記フランジと前記被連結容器との間に分離隙間を形成するものである、分離構成と、
を備える、容器。
【請求項２】
前記側壁の前記パネルは、前記開口に沿って延在する折り線に沿って前記中央パネルに折り曲げ可能につながっており、前記中央パネルは、前記折り線の端部から前記開口に沿って延在する縁部を有し、前記縁部は、前記折り線に対して垂直である、請求項１に記載の容器。
【請求項３】
前記側壁の前記パネルは第１のパネルであり、前記第１のパネルは、前記開口に沿って延在する第１の折り線に沿って前記中央パネルに折り曲げ可能につながっており、前記側壁は、前記開口から離隔した第２の折り線に沿って前記中央パネルに折り曲げ可能につながっている第２のパネルを有する、請求項１に記載の容器。
【請求項４】
前記第２のパネルは取り付け部分を有し、前記中央パネルと前記取り付け部分とは重なる関係にある、請求項３に記載の容器。
【請求項５】
前記中央パネルは、前記開口に沿って延在する縁部を有し、前記第２のパネルの前記取り付け部分は、前記第２の折り線から前記中央パネルの前記縁部へ延在し、前記第２のパネルの一部は、前記取り付け部分及び前記中央パネルの前記縁部から少なくとも下方に延在する、請求項４に記載の容器。
【請求項６】
前記第２のパネルの前記取り付け部分は、前記第２のパネル内を延在する第３の折り線によって少なくとも部分的に画定される、請求項４に記載の容器。
【請求項７】
前記取り付け部分は、前記中央パネルの下面に少なくとも部分的に向かい合わせに接触する、請求項４に記載の容器。
【請求項８】
第３の折り線に沿って前記第２のパネルに折り曲げ可能につながっているボトムパネルを有する底壁を更に備える、請求項３に記載の容器。
【請求項９】
前記側壁は、前記開口に沿って延在する第３の折り線に沿って前記中央パネルに折り曲げ可能につながっている第３のパネルと、前記開口から離隔している第４の折り線に沿って前記中央パネルに折り曲げ可能につながっている第４のパネルとを有し、前記第３のパネルは、前記第１のパネルに対向し、前記第４のパネルは、前記第２のパネルに対向する、請求項３に記載の容器。
【請求項１０】
前記第２のパネルは、第１の取り付け部分を有し、前記第４のパネルは、第２の取り付け部分を有し、前記中央パネルは、前記第１の取り付け部分及び前記第２の取り付け部分のそれぞれに少なくとも部分的に重なり、前記第２のパネル及び前記第４のパネルのそれぞれの一部は、前記それぞれの第１の取り付け部分及び第２の取り付け部分から少なくとも下方に延在する、請求項９に記載の容器。
【請求項１１】
前記第２のパネルに折り曲げ可能につながっている第１のボトムパネルと、前記第４のパネルに折り曲げ可能につながっている第２のボトムパネルとを有する底壁を更に備え、前記第１のボトムパネルと前記第２のボトムパネルとは少なくとも部分的に重なる関係にある、請求項９に記載の容器。
【請求項１２】
材料の基層と、前記基層の内面に少なくとも部分的に取り付けられるライナーとを更に備え、前記ライナーは、前記中央パネル、前記第１のパネル、前記第２のパネル、前記第３のパネル、前記第４のパネル、前記第１のボトムパネル、及び前記第２のボトムパネルのそれぞれに少なくとも部分的に取り付けられる、請求項１１に記載の容器。 
【請求項１３】
前記第１のパネルに折り曲げ可能につながっている第１のボトムパネルと、前記第２のパネルに折り曲げ可能につながっている第２のボトムパネルと、前記第３のパネルに折り曲げ可能につながっている第３のボトムパネルと、前記第４のパネルに折り曲げ可能につながっている第４のボトムパネルとを有する底壁を更に備え、前記第１のボトムパネル、前記第２のボトムパネル、前記第３のボトムパネル、及び前記第４のボトムパネルは、少なくとも部分的に重なる関係にある、請求項９に記載の容器。
【請求項１４】
材料の基層と、前記基層の内面に少なくとも部分的に取り付けられるライナーとを更に備え、前記ライナーは、前記中央パネル、前記第１のパネル、前記第２のパネル、前記第３のパネル、前記第４のパネル、前記第１のボトムパネル、前記第２のボトムパネル、前記第３のボトムパネル、及び前記第４のボトムパネルのそれぞれに少なくとも部分的に取り付けられる、請求項１３に記載の容器。
【請求項１５】
前記側壁の前記パネルは、第１のパネルであり、前記第１のパネルは、前記開口に沿って延在する第１の折り線に沿って前記中央パネルに折り曲げ可能につながっており、前記側壁は、前記開口に沿って延在する第２の折り線に沿って前記中央パネルに折り曲げ可能につながっている第２のパネルを有する、請求項１に記載の容器。
【請求項１６】
前記中央パネルは、第１の縁部と第２の縁部とを有し、前記第１の縁部及び前記第２の縁部のそれぞれは、前記第１の折り線のそれぞれの端部から前記第２の折り線のそれぞれの端部へ延在する、請求項１５に記載の容器。
【請求項１７】
前記分離構成は、前記中央パネルの下面に沿って前記側壁の前記パネルの縁部から延在する肩部を有する、請求項１に記載の容器。 
【請求項１８】
前記肩部は、前記被連結容器と係合するフランジ係合縁部を有し、前記フランジ係合縁部は、前記パネルの前記縁部から延在するとともに、前記フランジから離隔している、請求項１７に記載の容器。
【請求項１９】
前記パネルは、前記開口から離隔した折り線に沿って前記中央パネルに折り曲げ可能につながっており、前記パネルは、取り付け部分を有し、前記中央パネルと前記取り付け部分とは重なる関係にあり、前記肩部は、前記取り付け部分から下方に延在する、請求項１７に記載の容器。
【請求項２０】
前記パネルの前記取り付け部分は、前記第２の折り線から前記中央パネルにおける前記開口へ延在し、前記パネルの側部は、前記取り付け部分から少なくとも下方に延在し、前記肩部は、少なくとも前記パネルの前記側部から延在する、請求項１９に記載の容器。
【請求項２１】
前記パネルは、第１のパネルであり、前記側壁は、前記開口に沿って前記中央パネルに折り曲げ可能につながっている第２のパネルを有する、請求項１９に記載の容器。
【請求項２２】
前記肩部は、第１の肩部であり、前記縁部は、第１の縁部であり、前記分離構成は、前記中央パネルの前記下面に沿って前記パネルの第２の縁部から延在する第２の肩部を有し、前記第２の縁部は、前記第１の縁部に対向する、請求項１７に記載の容器。
【請求項２３】
前記パネルは、第１のパネルであり、前記側壁は、前記第１のパネルに対向して前記中央パネルに折り曲げ可能につながっている第２のパネルを有し、前記分離構成は、前記中央パネルの前記下面に沿って前記第２のパネルの第３の縁部から延在する第３の肩部と、前記中央パネルの前記下面に沿って前記第２のパネルの第４の縁部から延在する第４の肩部とを有し、前記第１の肩部、前記第２の肩部、前記第３の肩部、及び前記第４の肩部は、前記側壁のそれぞれの角部において延在する、請求項２２に記載の容器。
【請求項２４】
前記パネルは、第１のパネルであり、前記肩部は、第１の肩部であり、前記縁部は、第１の縁部であり、前記側壁は、前記第１のパネルに対向して前記中央パネルに折り曲げ可能につながっている第２のパネルを有し、前記分離構成は、前記中央パネルの前記下面に沿って前記第２のパネルの第２の縁部から延在する第２の肩部を有する、請求項１７に記載の容器。
【請求項２５】
前記側壁は、前記開口に沿って前記中央パネルに折り曲げ可能につながっている第３のパネルを更に有し、前記第３のパネルの少なくとも一部は、前記第１の肩部と前記第２の肩部とが前記第３のパネルによって離隔するように、前記第１の縁部から前記第２の縁部へ延在する、請求項２４に記載の容器。
【請求項２６】
食品を収容する容器の積載配置であって、該積載配置は、少なくとも第１の容器と第２の容器と備え、容器の前記積載配置における各容器は、
中央パネルを有するフランジであって、前記中央パネル内を開口が延在する、フランジと、
前記中央パネルに折り曲げ可能につながっているパネルを少なくとも有する側壁と、
前記側壁から外方に延在する分離構成であって、前記第１の容器の前記分離構成は、前記第２の容器と係合して前記第２の容器と前記第１の容器の前記フランジとの間に分離隙間を少なくとも部分的に形成する、分離構成と、
を有する、容器の積載配置。
【請求項２７】
前記第１の容器の前記分離構成は、前記第２の容器の前記フランジと係合する、請求項２６に記載の容器の積載配置。
【請求項２８】
容器の前記積載配置における前記容器のそれぞれにおいて、前記分離構成は、前記中央パネルの下面に沿って前記側壁の前記パネルから延在する肩部を有し、前記第１の容器の前記肩部は、前記第２の容器と係合して前記分離隙間を少なくとも部分的に形成する、請求項２６に記載の容器の積載配置。
【請求項２９】
容器の前記積載配置における前記容器のそれぞれにおいて、前記肩部は、前記パネルから延在するフランジ係合縁部を有し、前記フランジ係合縁部は、前記中央パネルから離隔し、前記第１の容器の前記フランジ係合縁部は、前記第２の容器の前記フランジと係合する、請求項２８に記載の容器の積載配置。
【請求項３０】
容器の前記積載配置における前記容器のそれぞれにおいて、前記パネルは、前記開口から離隔した折り線に沿って前記中央パネルに折り曲げ可能につながっており、前記パネルは、取り付け部分を有し、前記中央パネルと前記取り付け部分とは重なる関係にあり、前記肩部は、前記取り付け部分から下方に延在する、請求項２８に記載の容器の積載配置。
【請求項３１】
容器の前記積載配置における前記容器のそれぞれにおいて、前記肩部は、前記パネルの第１の縁部から延在する第１の肩部であり、前記分離構成は、前記パネルの第２の縁部から延在する第２の肩部を有し、前記第２の縁部は、前記第１の縁部と対向し、前記第１の容器の前記第１の肩部及び前記第２の肩部は、前記第２の容器と係合して前記分離隙間を少なくとも部分的に形成する、請求項２８に記載の容器の積載配置。
【請求項３２】
容器の前記積載配置における前記容器のそれぞれにおいて、前記パネルは、第１のパネルであり、前記肩部は、第１の肩部であり、前記側壁は、前記第１のパネルに対向して前記中央パネルに折り曲げ可能につながっている第２のパネルを有し、前記分離構成は、前記第２のパネルから延在する第２の肩部を有し、前記第１の容器の前記第１の肩部及び前記第２の肩部は、前記第２の容器と係合して前記分離隙間を少なくとも部分的に形成する、請求項２８に記載の容器の積載配置。
【請求項３３】
容器の前記積載配置における前記容器のそれぞれにおいて、前記側壁は、前記開口に沿って前記中央パネルに折り曲げ可能につながっている第３のパネルを更に有し、前記第３のパネルの少なくとも一部は、前記第１の肩部と前記第２の肩部とが前記第３のパネルによって離隔するように、前記第１のパネルの少なくとも一部から前記第２のパネルの少なくとも一部へ延在する、請求項３２に記載の容器の積載配置。
【請求項３４】
食品を収容する容器を形成するブランクであって、
前記ブランクから形成される前記容器のフランジを少なくとも部分的に形成する中央パネルと、
前記中央パネル内を延在する開口と、
前記中央パネルに折り曲げ可能につながっているパネルであって、該パネルは前記ブランクから形成される前記容器の側壁を少なくとも部分的に形成するものである、パネルと、
前記容器が前記ブランクから形成されたときに前記側壁から外方に延在する前記パネルから延在する分離構成であって、該分離構成は、積載配置において前記容器の下に位置決めされる被連結容器と係合するものであるとともに、前記容器が前記ブランクから形成されたときに前記フランジと前記被連結容器との間に分離隙間を形成するものである、分離構成と、
を備える、ブランク。
【請求項３５】
前記側壁の前記パネルは、前記開口に沿って延在する折り線に沿って前記中央パネルに折り曲げ可能につながっており、前記中央パネルは、前記折り線の端部から前記開口に沿って延在する縁部を有し、前記縁部は、前記折り線に対して垂直である、請求項３４に記載のブランク。
【請求項３６】
前記パネルは第１のパネルであり、前記第１のパネルは、前記開口に沿って延在する第１の折り線に沿って前記中央パネルに折り曲げ可能につながっており、前記ブランクは、前記開口から離隔した第２の折り線に沿って前記中央パネルに折り曲げ可能につながっている第２のパネルを更に有し、前記第２のパネルは、前記第１のパネルと協働し、前記容器が前記ブランク及び前記ライナー材料から形成されたときに前記側壁を少なくとも部分的に形成するものである、請求項３４に記載のブランク。
【請求項３７】
前記第２のパネルは、取り付け部分を有し、前記中央パネル及び前記取り付け部分は、前記容器が前記ブランク及び前記ライナー材料から形成されたときに重なる関係となるものである、請求項３６に記載のブランク。
【請求項３８】
前記第２のパネルの前記取り付け部分は、前記第２のパネル内を延在する第３の折り線によって少なくとも部分的に画定される、請求項３７に記載のブランク。
【請求項３９】
前記ブランクは、第３の折り線に沿って前記第２のパネルに折り曲げ可能につながっているボトムパネルを更に有し、前記ボトムパネルは、前記容器が前記ブランク及び前記ライナー材料から形成されたときに底壁を少なくとも部分的に形成するものである、請求項３６に記載のブランク。
【請求項４０】
前記ブランクは、前記開口に沿って延在する第３の折り線に沿って前記中央パネルに折り曲げ可能につながっている第３のパネルと、前記開口から離隔した第４の折り線に沿って前記中央パネルに折り曲げ可能につながっている第４のパネルとを更に有し、前記第３のパネルは、前記第１のパネルと対向し、前記第４のパネルは、前記第２のパネルと対向し、前記第３のパネル及び前記第４のパネルは、前記第１のパネル及び前記第２のパネルと協働し、前記容器が前記ブランク及び前記ライナー材料から形成されたときに前記側壁を少なくとも部分的に形成するものである、請求項３６に記載のブランク。
【請求項４１】
前記第２のパネルは、第１の取り付け部分を有し、前記第４のパネルは、第２の取り付け部分を有し、前記中央パネルは、前記容器が前記ブランク及び前記ライナー材料から形成されたときに前記第１の取り付け部分及び前記第２の取り付け部分のそれぞれと少なくとも部分的に重なるものであり、前記第２のパネル及び前記第４のパネルのそれぞれの一部は、前記容器が前記ブランク及び前記ライナー材料から形成されたときに前記それぞれの第１の取り付け部分及び第２の取り付け部分から少なくとも下方に延在するものである、請求項４０に記載のブランク。
【請求項４２】
前記ブランクは、前記第２のパネルに折り曲げ可能につながっている第１のボトムパネルと、前記第４のパネルに折り曲げ可能につながっている第２のボトムパネルとを更に有し、前記第１のボトムパネル及び前記第２のボトムパネルは、前記容器が前記ブランク及び前記ライナー材料から形成されたときに少なくとも部分的に重なる関係となって底壁を少なくとも部分的に形成するものである、請求項４０に記載のブランク。
【請求項４３】
前記ブランクは、前記第１のパネルに折り曲げ可能につながっている第１のボトムパネルと、前記第２のパネルに折り曲げ可能につながっている第２のボトムパネルと、前記第３のパネルに折り曲げ可能につながっている第３のボトムパネルと、前記第４のパネルに折り曲げ可能につながっている第４のボトムパネルとを更に備え、前記第１のボトムパネル、前記第２のボトムパネル、前記第３のボトムパネル、及び前記第４のボトムパネルは、前記容器が前記ブランク及び前記ライナー材料から形成されたときに少なくとも部分的に重なる関係となって、底壁を少なくとも部分的に形成するものである、請求項４０に記載のブランク。
【請求項４４】
前記パネルは、第１のパネルであり、前記第１のパネルは、前記開口に沿って延在する第１の折り線に沿って前記中央パネルに折り曲げ可能につながっており、前記ブランクは、前記開口に沿って延在する第２の折り線に沿って前記中央パネルに折り曲げ可能につながっている第２のパネルを更に有する、請求項３４に記載のブランク。
【請求項４５】
前記中央パネルは、第１の縁部と第２の縁部とを有し、前記第１の縁部及び前記第２の縁部のそれぞれは、前記第１の折り線のそれぞれの端部から前記第２の折り線のそれぞれの端部へ延在する、請求項４４に記載のブランク。
【請求項４６】
前記分離構成は、前記パネルの縁部から延在する肩部を有する、請求項３４に記載のブランク。
【請求項４７】
前記肩部は、前記容器が前記ブランクから形成されたときに前記被連結容器と係合するフランジ係合縁部を有し、前記フランジ係合縁部は、前記パネルの前記縁部から延在するとともに、前記中央パネルから離隔している、請求項４６に記載のブランク。
【請求項４８】
前記パネルは、前記開口から離隔した折り線に沿って前記中央パネルに折り曲げ可能につながっており、前記パネルは、取り付け部分を有し、前記中央パネルと前記取り付け部分とは前記容器が前記ブランクから形成されたときに重なる関係となるものであり、前記肩部は、前記容器が前記ブランクから形成されたときに前記取り付け部分から下方に延在するものである、請求項４６に記載のブランク。
【請求項４９】
前記パネルは、第１のパネルであり、前記ブランクは、前記開口に沿って前記中央パネルに折り曲げ可能につながっている第２のパネルを有する、請求項４８に記載のブランク。
【請求項５０】
前記肩部は、第１の肩部であり、前記縁部は、第１の縁部であり、前記分離構成は、前記パネルの第２の縁部から延在する第２の肩部を有し、前記第２の縁部は、前記第１の縁部に対向する、請求項４６に記載のブランク。
【請求項５１】
前記パネルは、第１のパネルであり、前記側壁は、前記第１のパネルに対向して前記中央パネルに折り曲げ可能につながっている第２のパネルを有し、前記分離構成は、前記第２のパネルの第３の縁部から延在する第３の肩部と、前記第２のパネルの第４の縁部から延在する第４の肩部とを有する、請求項５０に記載のブランク。
【請求項５２】
前記パネルは、第１のパネルであり、前記肩部は、第１の肩部であり、前記縁部は、第１の縁部であり、前記ブランクは、前記第１のパネルに対向して前記中央パネルに折り曲げ可能につながっている第２のパネルを有し、前記分離構成は、前記第２のパネルの第２の縁部から延在する第２の肩部を有する、請求項４６に記載のブランク。
【請求項５３】
前記側壁は、前記開口に沿って前記中央パネルに折り曲げ可能につながっている第３のパネルを更に有し、前記第３のパネルの少なくとも一部は、前記容器が前記ブランクから形成されたときに前記第１の肩部と前記第２の肩部とが前記第３のパネルによって離隔するように、前記第１の縁部から前記第２の縁部へ延在するものである、請求項５２に記載のブランク。
【請求項５４】
食品を収容する容器を形成する方法であって、
中央パネルと、前記中央パネル内を延在する開口と、前記中央パネルに折り曲げ可能につながっているパネルと、前記パネルから延在する分離構成とを有するブランクを得ることと、
前記容器を少なくとも前記ブランクから形成することであって、前記容器を形成することは、前記中央パネルが前記容器のフランジを少なくとも部分的に形成するとともに前記パネルが前記容器の側壁を少なくとも部分的に形成するように、前記パネルを前記中央パネルから少なくとも下方に延在するように折り曲げることを含み、前記分離構成は前記側壁から外方に延在する、前記容器を形成することと、
前記容器を被連結容器に対して位置決めすることであって、前記分離構成が前記被連結容器と係合するとともに前記被連結容器と前記容器の前記フランジとの間に分離隙間を形成するように前記容器を被連結容器に対して位置決めすることと、
を含む、方法。
【請求項５５】
前記分離構成は、前記パネルの縁部から延在する肩部を有し、前記容器を形成することは、前記フランジから少なくとも下方に前記中央パネルの下面に沿って延在するように前記肩部を位置決めすることを含む、請求項５４に記載の方法。
【請求項５６】
前記被連結容器に対して前記容器を位置決めすることは、前記肩部のフランジ係合縁部が前記被連結容器と係合するように前記容器を位置決めすることを含む、請求項５５に記載の方法。
【請求項５７】
前記パネルは、前記開口から離隔した折り線に沿って前記中央パネルに折り曲げ可能につながっており、前記パネルは、取り付け部分を有し、前記容器を形成することは、前記中央パネルと重なる関係となるように前記取り付け部分を位置決めするとともに前記取り付け部分から下方に延在するように前記肩部を位置決めすることを含む、請求項５５に記載の方法。
【請求項５８】
前記肩部は、第１の肩部であり、前記縁部は、第１の縁部であり、前記分離構成は、前記中央パネルの前記下面に沿って前記パネルの第２の縁部から延在する第２の肩部を有し、前記第２の縁部は、前記第１の縁部に対向し、前記容器を前記被連結容器に対して位置決めすることは、前記第１の肩部及び前記第２の肩部のそれぞれが前記被連結容器と係合するように前記容器を位置決めすることを含む、請求項５５に記載の方法。
【発明の詳細な説明】
【技術分野】
【０００１】
［関連出願の相互参照］
本願は、２０１９年５月２３日に出願された米国仮特許出願第６２／８５１，９３２号、２０１９年１月２５日に出願された米国仮特許出願第６２／７９６，７１６号及び２０１８年８月７日に出願された米国仮特許出願第６２／７１５，５２０号の利益を主張する。
【０００２】
［参照による援用］
２０１９年５月２３日に出願された米国仮特許出願第６２／８５１，９３２号、２０１９年１月２５日に出願された米国仮特許出願第６２／７９６，７１６号、２０１８年８月７日に出願された米国仮特許出願第６２／７１５，５２０号、２０１８年７月１７日に出願された米国特許出願第６２／０３７，４２５号、２０１８年３月２８日に出願された米国仮特許出願第６２／６４９，１５９号、２０１８年３月１６日に出願された米国仮特許出願第６２／６４３，９１４号、２０１７年７月２０日に出願された米国特許出願第１５／６５４，８１４号、２０１６年７月２２日に出願された米国仮特許出願第６２／３６５，６３５号、２０１１年２月１１日に出願された米国特許出願第１２／９９２，１３１号、及び２００９年５月１３日に出願された国際出願ＰＣＴ／ＧＢ／０９／５０５０６号の開示は、引用することにより、全ての目的でその全体が本明細書に提示されているかのように本明細書の一部をなす。
【０００３】
本開示は、ブランク、容器、トレイ、構造物、並びにブランクから容器を形成するための種々の形状部及び方法に関する。より具体的には、本開示は、概して、食品を加熱するのに好適な、ライナーを有する容器に関する。
【発明の概要】
【０００４】
概して、本開示の１つの態様は、包括的には、食品を収容する容器に関する。この容器は、基層及び基層の内面に少なくとも部分的に取り付けられるライナーと、基層の中央パネルを有するフランジと、中央パネル内を延在する開口と、開口に沿って中央パネルに折り曲げ可能につながっているパネルを少なくとも有する側壁とを備えることができる。
【０００５】
別の態様において、本開示は、包括的には、食品を収容する容器を形成するブランクとライナー材料との結合体に関する。このブランクは、ブランク及びライナー材料から形成される容器のフランジを少なくとも部分的に形成する中央パネルと、中央パネル内を延在する開口と、開口に沿って中央パネルに折り曲げ可能につながっているパネルを有することができる。パネルは、ブランク及びライナー材料から形成される容器の側壁を少なくとも部分的に形成するものとすることができる。ブランクは、容器の基層を形成するものとすることができ、ライナー材料は、容器がブランク及びライナー材料から形成されたときに基層の内面に少なくとも部分的に取り付けられるものとすることができる。
【０００６】
別の態様において、本開示は、包括的には、食品を収容する容器を形成する方法に関する。この方法は、平坦構造物を得ることであって、平坦構造物は、中央パネルと、中央パネル内を延在する開口と、開口に沿って中央パネルに折り曲げ可能につながっているパネルとを有する、平坦構造物を得ることを含むことができる。この方法は、パネルが側壁を少なくとも部分的に形成するとともに中央パネルがフランジを少なくとも部分的に形成するように、パネルを中央パネルから少なくとも下方に延在するように折り曲げることによって容器の基層を形成することと、ライナーを基層の内面に取り付けることとを更に含むことができる。
【０００７】
別の態様において、本開示は、包括的には、食品を収容する容器を形成する方法に関する。この方法は、平坦構造物を得ることと、加熱されたライナー材料及び構造物に空気圧を印加してライナー材料を構造物に向けて移動させることを含むことができる。空気圧は構造物に内部を有する基層を形成させることができる。この方法は、ライナー材料を基層の内部へ移動させてライナー材料を基層に付着させることを更に含むことができる。
【０００８】
別の態様において、本開示は、包括的には、食品を収容する容器に関する。容器は、中央パネルを有するフランジを備えることができる。開口は、中央パネル内を延在することができる。容器は、中央パネルに折り曲げ可能につながっているパネルを少なくとも有する側壁と、側壁から外方に延在する分離構成（denesting feature）とを更に備えることができる。分離構成は、積載配置において容器の下方に位置する被連結容器（nested container）と係合するもの、及びフランジと被連結容器との間に分離隙間（denesting gap）を形成するものとすることができる。
【０００９】
別の態様において、本開示は、包括的には、食品を収容する容器の積載配置に関する。積載配置は、少なくとも第１の容器と第２の容器とを含むことができ、容器の積載配置におけるそれぞれの容器は、中央パネルを有するフランジを備えることができる。開口は、中央パネル内を延在することができる。それぞれの容器は、中央パネルに折り曲げ可能につながっているパネルを少なくとも有する側壁と、側壁から外方に延在する分離構成とを更に備えることができる。第１の容器の分離構成は、第２の容器と係合することで、第２の容器と第１の容器のフランジとの間に分離隙間を少なくとも部分的に形成することができる。
【００１０】
別の態様において、本開示は、包括的には、食品を収容する容器を形成するブランクに関する。ブランクは、ブランクから形成される容器のフランジを少なくとも部分的に形成する中央パネルと、中央パネル内を延在する開口と、中央パネルに折り曲げ可能につながっているパネルとを備えることができる。パネルは、ブランクから形成される容器の側壁を少なくとも部分的に形成するものとすることができる。ブランクは、容器がブランクから形成されたときに側壁から外方に延在するようにパネルから延在する分離構成を更に備えることができる。分離構成は、積載配置において容器の下方に位置する被連結容器と係合するもの、及び容器がブランクから形成されたときにフランジと被連結容器との間に分離隙間を形成するものとすることができる。
【００１１】
別の態様において、本開示は、包括的には、食品を収容する容器を形成する方法に関する。この方法は、中央パネルと、中央パネル内を延在する開口と、中央パネルに折り曲げ可能につながっているパネルと、パネルから延在する分離構成とを備えるブランクを得ることを含むことができる。この方法は、少なくともブランクから容器を形成することを更に含むことができる。容器を形成することは、中央パネルが容器のフランジを少なくとも部分的に形成するとともにパネルが容器の側壁を少なくとも部分的に形成するように、パネルを折り曲げて中央パネルから少なくとも下方に延在させることを含むことができる。分離構成は、側壁から外方に延在することができる。この方法は、分離構成が被連結容器と係合して被連結容器と容器のフランジとの間に分離隙間を形成するように、被連結容器に対して容器を位置決めすることを含むこともできる。
【００１２】
当業者は、添付図面を参照しながら実施形態の以下の詳細な説明を読むことで、上述した利点及び他の利点、並びに種々の更なる実施形態の利益を理解する。
【００１３】
慣例によれば、以下で論じる図面の種々の特徴は、必ずしも縮尺通りでない。図面における種々の特徴及び要素の寸法は、本開示の実施形態をより明確に例示するために拡大又は縮小されている場合がある。
【図面の簡単な説明】
【００１４】
【図１】本開示の第１の例示的な実施形態に係る容器を形成するのに用いられるブランクの平面図である。
【図２】本開示の第１の例示的な実施形態に係る図１のブランクから形成された平坦構造物の平面図である。
【図３】本開示の第１の例示的な実施形態に係る図１のブランクから形成された平坦構造物の平面図である。
【図４】本開示の第１の例示的な実施形態に係る図２及び図３の構造物及びライナーから形成された容器の斜視図である。
【図５】本開示の例示的な実施形態の容器を形成するための装置の概略図である。
【図６】本開示の第２の例示的な実施形態に係る容器を形成するのに用いられるブランクの平面図である。
【図７】本開示の第３の例示的な実施形態に係る容器を形成するのに用いられるブランクの平面図である。
【図８】本開示の第３の例示的な実施形態に係る図７のブランクから形成された平坦構造物の平面図である。
【図９】本開示の第３の例示的な実施形態に係る図７のブランクから形成された平坦構造物の平面図である。
【図１０Ａ】本開示の第３の例示的な実施形態に係る図８及び図９の構造物から形成された容器の上面斜視図である。
【図１０Ｂ】図１０Ａの容器の底壁の概略平面図である。
【図１１Ａ】本開示の例示的な実施形態に係る容器を形成するための装置の概略図である。
【図１１Ｂ】本開示の例示的な実施形態に係る容器を形成するための装置の概略図である。
【図１２】本開示の第４の例示的な実施形態に係る容器を形成するのに用いられるブランクの平面図である。
【図１３】本開示の第４の例示的な実施形態に係る図１２のブランクから形成された平坦構造物の平面図である。
【図１４】本開示の第４の例示的な実施形態に係る図１３の構造物から形成された容器の斜視図である。
【図１５】図１４の容器の角部の詳細図である。
【図１６】本開示の第４の例示的な実施形態に係る図１４及び図１５の容器の積載配置の斜視図である。
【図１７】本開示の第４の例示的な実施形態に係る図１４及び図１５の容器の積載配置の斜視図である。
【発明を実施するための形態】
【００１５】
対応する部分は、図面全体を通して対応する参照符号によって示されている。
【００１６】
本開示は、包括的には、容器、構造物、トレイ、材料、パッケージ、要素、及び物品、並びにそのような容器、構造物、トレイ、材料、パッケージ、要素、及び物品を作製する方法の種々の態様に関する。いくつかの異なる態様、実施態様、及び実施形態が開示されているが、それらの種々の態様、実施態様、及び実施形態間の多くの相互関係、それらの組合せ、並びに変更が本明細書によって意図される。図示の１つの実施形態では、本開示は、食品又は種々の他の物品を保持する容器又はトレイを成形することに関する。しかし、他の実施形態では、容器又はトレイは、食品ではない他のものを入れる物品を形成するために用いることもできるし、加熱若しくは調理に用いてもよい。
【００１７】
図１は、容器５（図４）の基層７を形成するのに用いられるブランク３を示しており、容器５は、本開示の第１の実施形態に係る基層７（図４）に取り付けられるライナー９を有する。１つの実施形態において、基層は、板紙（例えば、漂白硫酸塩ボード（solid bleached sulphate）、折り畳み箱用板紙（folding boxboard））、又は、リサイクル可能及び／又はオーブン（図示せず）での使用に好適とすることができる他の好適な材料を含み、ライナー９は、ポリエチレン、ポリエチレンテレフタレート（ＰＥＴ）材料、又は他の任意の熱可塑性材料、又は植物油若しくはでん粉ベースのプラスチック等のバイオプラスチック等のプラスチック層を含む。例示的な一実施形態において、ライナー９は、軟化させて基層７に融着することができるポリエチレンを含む。代替的な一実施形態において、ライナー９は、ヒートシール層（例えば、バージニア州ホープウェル所在のDuPont Teijin Films U.S. Limited Partnership社から入手可能なＭｙｌａｒ（商標）ＸＭＰＯＬ１２等の熱成形性のシール材グレードの透明ポリエステルパッケージフィルム、任意の好適な熱成形性のシール材若しくは接着剤、任意の好適な熱若しくは圧力活性型接着剤、又は他の任意の好適な材料）によって基層７に少なくとも部分的に取り付けられるＰＥＴ又は同様の材料を含むことができ、ＰＥＴライナーは、オーブン内での容器の加熱を要する使用により好適とすることができる。図示の実施形態では、ライナー９は、基層７に少なくとも部分的に取り付けられ、容器５内に収容される食品に接触する（例えば、加熱中）。１つの実施形態において、食品の加熱後、基層７及びライナー９を分離し、基層７及びライナー９の双方を別個にリサイクルすることができる。
【００１８】
ブランク３は、限定はしないが、板紙、ボール紙、紙、ポリマーシート等の単層の材料から形成することができ、及び／又は、２つ以上の層を含む積層から形成することができる。１つの実施形態において、ブランク３は、ジョージア州アトランタ所在のGraphic Packaging International社から入手可能なＭｉｃｒｏＲｉｔｅ（商標）容器に一般的であるようなマイクロ波相互作用層（図示せず）を含むことができる。マイクロ波相互作用層は、サセプタ、箔、マイクロ波シールド、又は、電子レンジ内でマイクロ波エネルギーを遮蔽する及び／又は加熱を生じるのに好適な材料層を指す任意の他の項目若しくは要素を一般的に指すことができるか、又はそれらを要素のうちの１つとして有することができる。
【００１９】
図１に示されているように、ブランク３は、縦方向Ｌ１及び横方向Ｌ２を有する。図示の実施形態では、ブランク３は、中央パネル１１と、横折り線１５において中央パネル１１に折り曲げ可能につながっている第１の端部パネル１３と、横折り線１９において中央パネル１１に折り曲げ可能につながっている第２の端部パネル１７と、縦折り線２３において中央パネル１１に折り曲げ可能につながっている第１のサイドパネル２１と、縦折り線２７において中央パネル１１に折り曲げ可能につながっている第２のサイドパネル２５とを有する。図示の実施形態では、ブランク３は、縦折り線３１に沿って第１のサイドパネル２１に折り曲げ可能につながっている第１のボトムパネル２９と、縦折り線３５に沿って第２のサイドパネル２５に折り曲げ可能につながっている第２のボトムパネル３３とを更に有する。
【００２０】
図１に示されているように、サイドパネル２１、２５は、それぞれのサイドパネル２１、２５におけるそれぞれの折り線４１、４３によって少なくとも部分的に画定されるそれぞれの取り付け部分３７、３９を有する。図示の実施形態では、端部パネル１３、１７は、中央切り欠き又は開口４５に隣接して及び／又はこれに沿って中央パネル１１に折り曲げ可能につながっており、中央パネル１１及び端部パネル１３、１７の縁部がブランク３の切り欠き４５に沿って延在する。１つの実施形態において、中央パネル１１は、横折り線１５のそれぞれの端部から横折り線１９のそれぞれの縁部へ横方向Ｌ２に延在する２つの縁部４７を有する。図１に示されているように、サイドパネル２１、２５は、切り欠き４５及び縁部４７から離隔した折り線２３、２７に沿って中央パネル１１に折り曲げ可能につながっている。ブランク３は、本開示から逸脱することなく、別様な形状、配置、及び／又は構成とすることができる。更に、本開示から逸脱することなく、中央パネル１１、端部パネル１３、１７、サイドパネル２１、２５、及び／又はボトムパネル２９、３３のうちの任意のものを省いてもよく、又は、別様な形状、配置、位置、及び／又は構成としてもよい。例えば、ブランク３は、任意の好適な数のパネル及び任意の好適な形状を有することができる。
【００２１】
図２及び図３に示されているように、ブランク３は、平坦構造物５１（例えば、折り曲げて接着されたブランク）に形成することができ、これは、以下でより詳細に説明するように、容器５の基部７を形成するように用意される。構造物５１は、サイドパネル２１、２５の取り付け部分３７、３９及び／又は中央パネル１１に接着剤（例えば、図１において破線で示されるような接着剤片Ｇｌの形態）を塗布し、サイドパネル２１、２５をそれぞれの折り線２３、２７に沿って中央パネル１１上へ折り曲げることによって形成することができる。取り付け部分３７、３９は、接着剤片Ｇｌが取り付け部分３７、３９を中央パネル１１に付着させるように、折り曲げて中央パネル１１の下面５２と向かい合わせに接触させることができる（図２）。図示の実施形態では、取り付け部分３７、３９は、それぞれの折り線２３、２７から中央パネル１１のそれぞれの縁部４７へ延在する。図２及び図３に示されているように、サイドパネル２１、２５は、端部パネル１３、１７及び切り欠き４５と少なくとも部分的に重なることができる。更に、ボトムパネル２９、３３は、構造物５１において互いに少なくとも部分的に重なることができる。構造物５１は、本開示から逸脱することなく、別様に形成することができる。
【００２２】
図２及び図３に示されているように、構造物５１は、コンパクトな収納及び／又は輸送のために、容器５を形成するように用意されながら、実質的に平坦な状態とすることができる。図示の実施形態では、容器５は、端部パネル１３、１７をそれぞれの折り線１５、１９に沿って中央パネル１１に対して下方に折り曲げ、サイドパネル２１、２５の側部をそれぞれの折り線４１、４３に沿って中央パネル１１及び取り付け部分３７、３９に対して下方に折り曲げることにより、平坦構造物５１から形成することができる。図４に示されているように、端部パネル１３、１７及びサイドパネル２１、２５の側部は、中央パネル１１から概して下方に延在し、部分的に重ねられたボトムパネル２９、３３から形成された底壁５５の周囲を延在する側壁５３を少なくとも部分的に形成する。図示の実施形態では、中央パネル１１及び取り付け部分３７、３９は、容器５のフランジ５７を形成することができる。本開示から逸脱することなく、側壁５３、底壁５５、及び／又はフランジ５７を省いてもよく、又は、別様な形状、配置、位置、及び／又は構成としてもよい。また、容器５は、本開示から逸脱することなく、フランジ５７及び／又は容器の他の部分を補強することができる１つ以上の射出成形形状部を有することができる。
【００２３】
図４に示されているように、容器５は、ブランク３から形成された基層７の内面に取り付けられるライナー９を更に備える。１つの実施形態において、ライナー９（例えば、ポリエチレンライナーの場合）は、基層７に取り付けることができる（例えば、ライナーを加熱して基層に融着することによる）。代替的に、ライナー９（例えば、ＰＥＴライナーの場合）は、ヒートシール層によって基層７に取り付けることができる。ライナー９は、側壁５３、底壁５５、及びフランジ５７の上に延在することができる。１つの実施形態において、ライナー９はフランジ５７を越えて延在することができ、ライナー９の縁部及びフランジ５７は位置合わせすることができ、及び／又はライナーはフランジ５７の縁部から内方に離隔することができる。図示の実施形態では、ライナー９は、ボトムパネル２９、３３、端部パネル１３、１７、サイドパネル２１、２５、及び中央パネル１１のそれぞれの少なくとも一部に取り付けることができる。１つの実施形態において、ライナー９は、基層７を側壁５３及び容器５全体の形状において少なくとも部分的に保持することができる（例えば、端部パネル１３、１７、サイドパネル２１、２５、及び／又はボトムパネル２９、３３が互いに分離することを防ぐのに役立つことができる）。ライナー９及び／又は基層７を有する容器５は、本開示から逸脱することなく、別様な形状、配置、位置、及び／又は構成とすることができる。
【００２４】
１つの実施形態において、構造物５１は、自己起立構造物とすることが考えられ、ライナー９を構造物に加えるのに用いられる熱及び圧力により、平坦構造物５１（図２及び図３）を起立させて容器５の基層７とすることができる（図４）。例えば、端部パネル１３、１７及びサイドパネル２１、２５の側部を中央パネル１１に対して下方に折り曲げて側壁５３を形成することができ、ボトムパネル２９、３３は摺動して互いを通過することで底壁５５を形成することができる。１つの実施形態において、側壁５３及び底壁５５は、基層７の内部５９に沿って延在することができる。ライナー９は、内部５９に押し込んで端部パネル１５、１７、サイドパネル２１、２５、ボトムパネル２９、３３、及び中央パネル１１（フランジ５７）と接触させることができ、これにより、ライナー９がパネル１５、１７、２１、２５、２９、３３、１１に少なくとも部分的に付着するとともに、ライナー９が基層７と結合して容器５を形成する。
【００２５】
１つの実施形態において、容器５は、成形工具を省くことができるとともに事前に構造物を基層７に形成することなく平坦構造物５１を下側ダイに移動させることができる点を除き、参照により援用された出願において図示及び記載された容器の形成と同様に形成することができる（例えば、‘４２５出願、‘８１４出願、及び／又は‘１３１出願）。図５に概略的に示されている例示的な一実施形態において、平坦構造物５１はシステム１０１の下側ダイ１４０上に載置することができ、ライナー材料又はフィルムシート１５０（例えば、ポリエチレン又はＰＥＴウェブ）は供給ローラー１５１から構造物１５１の上に供給することができる。上側ダイ１６０は、ＰＴＦＥコーティング、例えばＴｅｆｌｏｎ（商標）コーティングを有するヒータープレート表面１６４を有する。代替的に、ヒータープレート表面１６４は、任意の好適な材料のコーティングを有することができ、又はコーティングを省いてもよい。図５に概略的に示されているように、上側ダイ１６０は、シート１５０に真空及び／又は空気圧を印加するために、ヒータープレート表面１６４に複数の穴又はダクト１６２を有することができる。ダクト１６２及び／又はヒータープレート１６４を備える下側ダイ１４０及び／又は上側ダイ１６０は、本開示から逸脱することなく、別様な形状、配置、位置、及び／又は構成とすることができる。例えば、ヒータープレート１６４を省いてもよく、シート１５０に熱を代替的に（例えば、高温空気流によって）印加することができる。
【００２６】
図示の実施形態では、下側ダイ１４０は、（例えば、図４に示されているように中央パネル１１が上方に面するように）構造物５１を中央パネル１１及び／又は取り付け部分３７、３９で支持しながら下側ダイ１４０におけるキャビティ１４２の上に構造物５１を保持することができる。初期真空をダクト１６２に印加して、フィルムシート１５０を上側ダイ１６０に向かって引っ張ることができ、上側ダイ１６０を好適な温度に加熱して、フィルムシート１５０を軟化させる及び／又はヒートシール層を活性化させることができる。初期真空の代わりに又は初期真空に加えて、同様の又は等しい効果を有するフィルムシート１５０下の空気圧を採用することができる。続いて、フィルムシート１５０を下方に押し込むことができる（例えば、ダクト１６２により印加される空気圧によって、及び／又は構造物５１の下から印加される真空によって）。空気圧は、フィルムシートを構造物に向かって移動させることができるとともに、構造物に基層７を形成させることができる（例えば、図４に示されているように、端部パネル１３、１７及びサイドパネル２１、２５を中央パネル１１から下方に折り曲げることで内部５９を形成することができる）。ライナーが内部を形成するとともに基層７のフランジ５７、側壁５３、及び底壁５５に付着して容器５を形成することで、下側ダイは基層７を支持することができる。１つの実施形態において、ライナー９は、ライナーが基層７に加えられた後に容器５のトレイ形状を保持するのに役立つことができる。１つの実施形態において、例えば、容器５を下側ダイ１４０から外し、コンベヤ上で成形工具から離れるように輸送することができる。
【００２７】
１つの実施形態において、容器５は、最初に基層７をブランクから形成してからその形成された基層７を下側ダイ１４０内に載置しなければならないシステムよりもかなり高い速度で構造物５１から形成することができる。１つの例において、最初に基層をブランクから形成するシステムは、毎分約６０トレイの速度で容器を形成することができる一方、本実施形態の容器５は、従来の形成ステップ無しで毎分約２００トレイの速度で構造物５１から形成することができる。容器５は、本開示から逸脱することなく、別様に形成することができる。例えば、容器５は、ライナー９を加える前に（例えば、下側ダイ１４０と係合する前に）構造物５１から形成することができる。
【００２８】
１つの実施形態において、蓋（図示せず）は、トレイ内に収容された食品を保存及び保護するのに用いられる薄いプラスチック層であるパッケージフィルムを含むことができ、容器５のフランジ５７に取り外し可能に取り付けることができる。ポリエチレン、ポリプロピレン、ポリエチレンテレフタレート、ポリ塩化ビニル、ポリアミド、及びエチレンビニルアルコール、又は他の好適な材料等の任意のプラスチックフィルムを、フランジ５７のシール面に対してシールされる蓋を形成するのに用いることができる。更に、本開示から逸脱することなく、蓋とフランジ５７のシール面との間に接着剤を用いることができる。１つの実施形態において、フランジ５７のシール面は、中央パネル１１の上面を含み、この上面には、概して、継ぎ目、たたみ目、折り目、プリーツ、縁部、及びフランジに対する蓋フィルムのシールをより困難にする可能性のある（例えば、フランジの平滑性を低減し得る）他の特徴部が無い。したがって、例示された実施形態の容器５における中央パネル１１の上面は、フランジ上面にプリーツ又は継ぎ目等の特徴部を有する容器よりも優れたシール面を提供することができる。１つの実施形態において、中央パネル１１の切り欠き４５に沿って折り曲げ可能につながっている端部パネル１３、１７及び中央パネル１１の外縁部に沿って折り曲げ可能につながっているとともに中央パネルの下で折り曲げられるサイドパネル２１、２５の配置により、シール面を形成するために中央パネル１１の上面を平坦及び／又は平滑にすることができる。また、１つの実施形態において、中央パネル１１の平滑な上面により、フランジの上面での基層７とライナー９との間のより良好な取り付けを容易にすることができる。
【００２９】
図６は、本開示の第２の実施形態の容器（図示せず）の基層を形成するブランク２０３の平面図である。第２の実施形態は、言及される変形及び当業者には理解される変形を除いて、第１の実施形態と概ね同様である。したがって、実施形態の同様又は同一の特徴には、同様又は類似の参照符号が付されている。図６に示されているように、第１の端部パネル２１３は、横中間折り線２６１に沿って上部２１３ｂに折り曲げ可能につながっている下部２１３ａを有し、第２の端部パネル２１７は、横中間折り線２６３に沿って上部２ｌ７ｂに折り曲げ可能につながっている下部２１７ａを有し、第１のサイドパネル２２１は、縦中間折り線２６５に沿って上部２２１ｂに折り曲げ可能につながっている下部２２１ａを有し、第２のサイドパネル２２５は、縦中間折り線２６７に沿って上部２２５ｂに折り曲げ可能につながっている下部２２５ａを有する。図示の実施形態では、それぞれの端部パネル２１３、２１７の上部２１３ｂ、２１７ｂは、それぞれの折り線１５、１９に沿って中央パネル１１に折り曲げ可能につながっている。同様に、それぞれのサイドパネル２２１、２２５の上部２２１ｂ、２２５ｂは、それぞれの折り線４１、４３に沿ってそれぞれの取り付け部分３７、３９に折り曲げ可能につながっており、取り付け部分３７、３９は、それぞれの折り線２３、２７に沿って中央パネル１１に折り曲げ可能につながっている。１つの実施形態において、それぞれの端部パネル２１３、２１７の下部２ｌ３ａ、２ｌ７ａのそれぞれは、２つの斜め下縁部２７ｌａを有し、それぞれの端部パネル２１３、２１７の上部２１３ｂ、２１７ｂのそれぞれは、２つの斜め上縁部２７ｌｂを有する。同様に、それぞれのサイドパネル２２１、２２５の下部２２１ａ、２２５ａのそれぞれは、２つの斜め下縁部２７３ａを有し、それぞれのサイドパネル２２１、２２５の上部２２１ｂ、２２５ｂのそれぞれは、２つの斜め上縁部２７３ｂを有する。ブランク３は、本開示から逸脱することなく、別様な形状、配置、及び／又は構成とすることができる。更に、本開示から逸脱することなく、中央パネル１１、端部パネル２１３、２１７、サイドパネル２２１、２２５、及び／又はボトムパネル２９、３３のうちの任意のものを省くことができ、又は、別様な形状、配置、位置、及び／又は構成とすることができる。例えば、ブランク２０３は、任意の好適な数のパネル、及び任意の好適な形状を有することができる。
【００３０】
１つの実施形態において、容器（図示せず）がブランク２０３から形成される場合、端部パネル２１３、２１７及びサイドパネル２２１、２２５は、組み合わせることにより、中間折り線２６１、２６３、２６５、２６７によって形成される中間折り線に沿って上部２ｌ３ｂ、２ｌ７ｂ、２２１ｂ、２２５ｂから形成される上部に折り曲げ可能につながっている下部２ｌ３ａ、２ｌ７ａ、２２１ａ、２２５ａから形成される下部を有する側壁（図示せず）を形成することができる。例示的な一実施形態において、パネル２１３、２１７、２２１、２２５の上部２ｌ３ｂ、２ｌ７ｂ、２２１ｂ、２２５ｂは、側壁におけるパネル２１３、２１７、２２１、２２５のそれぞれの下部２ｌ３ａ、２ｌ７ａ、２２１ａ、２２５ａに対して斜めになることができる。したがって、側壁の下部は、ボトムパネル２９、３３によって形成される側壁から鈍角で斜めに延在することができ、側壁の上部は、下部から鈍角で斜めに延在することができ、これにより、ライナー９は、容器の角部において側壁及び底壁の面により容易に係合することができる。例えば、ライナー９（例えば、ＰＥＴライナー）は、９０度又は略９０度の角部よりも鈍角の角部により容易に嵌合することができる。したがって、第２の実施形態のブランク２０３から形成される容器は、いくつかの例示的な実施形態において、或る特定のライナー（例えば、従来型のオーブンでの使用により好適とすることができるＰＥＴライナー）により好適とすることができる。
【００３１】
図７は、本開示の第３の実施形態の容器３０５（図１０Ａ）の基層３０７を形成するブランク３０３の平面図である。第３の実施形態は、言及される変形及び当業者には理解される変形を除いて、先行の実施形態と概ね同様である。したがって、実施形態の同様又は同一の特徴には、同様又は類似の参照符号が付されている。図７に示されているように、ブランク３０３は、それぞれの縦折り線３１、３５に沿ってそれぞれの第１のサイドパネル２１及び第２のサイドパネル２５に折り曲げ可能につながっている第１のボトムパネル３２９及び第２のボトムパネル３３３と、横折り線３７３に沿って第１の端部パネル１３に折り曲げ可能につながっている第３のボトムパネル３７１と、横折り線３７７に沿って第２の端部パネル１７に折り曲げ可能につながっている第４のボトムパネル３７５とを有することができる。図７に示されているように、第３のボトムパネル３７１及び第４のボトムパネル３７５は、開口４５内でそれぞれの第１の端部パネル１３及び第２の端部パネル１７から延在することができる。図示の実施形態では、第１のボトムパネル３２９は、横縁部３７９ａと縦縁部３７９ｂ、３７９ｃとを有することができる。同様に、第２のボトムパネル３３３は、横縁部３８１ａを有することができ、第３のボトムパネル３７１及び第４のボトムパネル３７５は、それぞれの縦縁部３８１ｂ、３８１ｃを有することができる。また、１つの実施形態において、ボトムパネル３２９、３３３、３７１、３７５は、それぞれのサイドパネル２１、２５及び端部パネル１３、１７から延在する斜め縁部を有することができる。
【００３２】
図７に示されているように、３つのノッチ３８３ａ、３８３ｂ、３８３ｃを第１のボトムパネル３２９において画定することができ、これらはそれぞれの横縁部３７９ａ及び縦縁部３７９ｂ、３７９ｃから延在することができる。更に、タブ３８５ａは、第２のボトムパネル３３３の横縁部３８１ａから延在することができ、タブ３８５ｂ、３８５ｃは、それぞれの第３のボトムパネル３７１及び第４のボトムパネル３７５のそれぞれの縦縁部３８１ｂ、３８１ｃから延在することができる。図示の実施形態では、タブ３８５ａ、３８５ｂ、３８５ｃは、それぞれのノッチ３８３ａ、３８３ｂ、３８３ｃと補完関係にあり、これにより、タブ３８５ａ、３８５ｂ、３８５ｃは、それぞれのノッチ３８３ａ、３８３ｂ、３８３ｃ内に嵌合する（例えば、図１０Ａ及び図１０Ｂに概略的に示されているように）。例えば、図７、図１０Ａ、及び図１０Ｂに示されているように、ノッチ３８３ａ、３８３ｂ、３８３ｃ及びタブ３８５ａ、３８５ｂ、３８５ｃのそれぞれは、２つの斜め縁部によってつながっている３つの直交縁部を有することができる。代替的に、ノッチ３８３ａ、３８３ｂ、３８３ｃ及びタブ３８５ａ、３８５ｂ、３８５ｃは、任意の好適な形状を有することができる。
【００３３】
図７に示されているように、それぞれのサイドパネル２１、２５の取り付け部分３３７、３３９は、サイドパネル２１、２５の縁部を越えて延在することができるとともに、中央パネル１１のそれぞれ隣接する湾曲角縁部に対応する湾曲縁部を有することができ、これにより、取り付け部分３３７、３３９の湾曲縁部は、構造物３５１（図８及び図９）が形成されたときに中央パネル１１のそれぞれ隣接する湾曲角縁部に沿って又は近接して延在する。ブランク３０３は、本開示から逸脱することなく、別様な形状、配置、位置、及び／又は構成とすることができる。
【００３４】
図８及び図９に示されているように、ブランク３０３は、平坦構造物３５１（例えば、折り曲げて接着されたブランク）に形成することができ、これは、以下でより詳細に説明するように、容器３０５の基部３０７を形成するように用意される。構造物３５１は、サイドパネル２１、２５の取り付け部分３３７、３３９及び／又は取り付け部分３３７、３３９に隣接する中央パネル１１の部分に接着剤（例えば、接着剤片の形態）を塗布し、サイドパネル２１、２５をそれぞれの折り線３２３、３２７に沿って中央パネル１１上へ折り曲げることによって形成することができる。取り付け部分３３７、３３９は、接着剤片が取り付け部分３３７、３３９を中央パネル１１に付着させるように、折り曲げて中央パネル１１の下面５２と向かい合わせに接触させることができる（図９）。図８及び図９に示されているように、サイドパネル２１、２５、端部パネル１３、１７、及びボトムパネル３２９、３３３、３７１、３７５は、切り欠き４５に隣接して互いに少なくとも部分的に重なることができる。構造物３５１は、本開示から逸脱することなく、別様に形成することができる。
【００３５】
図８及び図９に示されているように、構造物３５１は、コンパクトな収納及び／又は輸送のために、容器３０５を形成するように用意されながら、実質的に平坦な状態とすることができる。図示の実施形態では、容器３０５は、それぞれの折り線３１５、３１９に沿って中央パネル１１に対して端部パネル１３、１７を下方に折り曲げるとともに、それぞれの折り線３４１、３４３に沿って中央パネル１１及び取り付け部分３３７、３３９に対してサイドパネル２１、２５の側部を下方に折り曲げることにより、平坦構造物３５１から形成することができる。図１０Ａに示されているように、端部パネル１３、１７及びサイドパネル２１、２５の側部は、中央パネル１１から概して下方に延在することで、ボトムパネル３２９、３３３、３７１、３７５から形成される底壁３５５の周囲に延在する側壁３５３を少なくとも部分的に形成する。図１０Ａ及び図１０Ｂに示されているように、底壁３５５は、ボトムパネル３３３、３７１、３７５が第１のボトムパネル３２９に隣接して位置決めされるようにボトムパネル３２９、３３３、３７１、３７５をそれぞれのサイドパネル２１、２５及び端部パネル１３、１７に対してそれぞれの折り線３１、３５、３７３、３７７に沿って折り曲げることにより形成することができる。図示の実施形態では、タブ３８５ａ、３８５ｂ、３８５ｃは、第１のボトムパネル３２９のそれぞれのノッチ３８３ａ、３８３ｂ、３８３ｃ内に収容することができる（例えば、これにより、各タブの縁部がそれぞれのノッチの縁部に対して隣接、近接、又は当接する）。１つの実施形態において、ボトムパネル３２９、３３３、３７１、３７５は、同一平面上とすることができる。
【００３６】
図示の実施形態では、中央パネル１１及び取り付け部分３３７、３３９は、容器３０５のフランジ３５７を形成することができる。図示の実施形態では、フランジ３５７の上面に継ぎ目、プリーツ、折り目、たたみ目、縁部、及びフランジの平滑さを減少させ得る他の特徴部が無くなるように、中央パネル１１の上面がフランジ３５７の上面を形成する。これは、ライナー３０９をベース３０７に取り付けるための（図１０Ａ）及び／又は蓋フィルム（図示せず）をフランジ３５７に取り付けるためのより良好な表面をフランジ３５７が提供するのに役立つことができる。ライナー３０９は、第１の実施形態のライナー９と同様又は同一とすることができる。１つの実施形態において、容器３０５の内部３５９を閉鎖する蓋フィルム又は他のカバーは、プリーツ、継ぎ目、折り目、たたみ目、縁部、及び／又はカバーとフランジとの間のシールの形成と干渉し得る他の特徴部をフランジが有する場合よりも、フランジ３５７に対してより密着したシールを形成することができる。側壁３５３、底壁３５５、及び／又はフランジ３５７は、本開示から逸脱することなく、省くことができる、又は別様な形状、配置、位置、及び／又は構成とすることができる。更に、フランジ３５７は、容器の周囲に延在する上面を有する一体のボード（例えば、中央パネル１１）を含むことができる。中央パネル１１に接着された取り付け部分３３７、３３９は、フランジ３５７を強化するとともに、容器３０５を強化してその剛性を高める。代替的な実施形態において、取り付け部分３３７、３３９は、本開示から逸脱することなく、省くことができる。
【００３７】
図１１Ａ及び図１１Ｂに概略的に示されているように、容器３０５は、中央パネル１１及びサイドパネル２１、２５の取り付け部分３３７、３３９が下側ダイ１４０’の上面の上に置かれ、端部パネル１３、１７、サイドパネル２１、２５の側部、及びボトムパネル３２９、３３３、３７１、３７５が下側ダイにおけるキャビティ１４２の上に延在するように成形工具又はシステム１０１’（図１１Ａ）の下側ダイ１４０’の上に構造物３５１を直立した向きで（例えば、図８に示されているように）載置することによって形成することができる。成形工具１０１’のプランジャ１６０’は、構造物３５１の上へ下方に移動することができるとともに、構造物３５１の開口４５を通って移動しながら端部パネル１３、１７、サイドパネル２１、２５の側部、及びボトムパネル３２９、３３３、３７１、３７５を下方に押圧することができる。プランジャが下側ダイのキャビティ内へ下方に移動し続けるにつれ、プランジャは、端部パネル１３、１７及びサイドパネル２１、２５の側部をキャビティの側壁に対して押し付けることができるとともに、ボトムパネル３２９、３３３、３７１、３７５をキャビティの底壁に対して押し付けることができ、ベース３０７の側壁３５３及び底壁３５５を形成する（例えば、図１０Ａ及び図１０Ｂ）。
【００３８】
１つの実施形態において、ボトムパネル３２９、３３３、３７１、３７５、端部パネル１３、１７、及びサイドパネル２１、２５のうちの１つ以上に真空圧を印加することで、パネルを所定の姿勢に折り曲げるのに役立つことができる、及び／又は下側ダイのキャビティ内においてパネルの姿勢を保持するのに役立つことができる。例えば、真空圧は、下側ダイ１４０’を通って延在する真空ダクト１６２’を介して図１０Ｂにおいて概略的に示される真空箇所３８７でボトムパネルに印加することができる。１つの実施形態において、真空箇所３８７での真空圧は、以下でより詳細に説明するように、ライナー３０９がベース３０７に加えられるまでタブ３８５ａ、３８５ｂ、３８５ｃがそれぞれのノッチ３８３ａ、３８３ｂ、３８３ｃと係合した状態で下側ダイの底壁に対してボトムパネル３２９、３３３、３７１、３７５を保持するのに役立つことができる。ひとたび側壁３５３及び底壁３５５が形成され、真空圧が底壁３５５（例えば、真空箇所３８７で）及び／又は側壁３５３に印加されると、プランジャは下側ダイから後退することができる。
【００３９】
続いて、図１１Ｂに示されているように、ライナーシート３０９’（例えば、ライナー３０９を形成するためのライナー材料）は、下側ダイの上に移動させ、ベース３０７への取り付け（例えば、積層、付着、ヒートシール、及び／又はベースへの別様な取り付け）のために用意することができる。１つの実施形態において、ライナーシート３０９’は、廃棄材料がゼロ又はほぼゼロの状態でベースに加えられるように形成及びサイズ設定することができる。ライナーシート３０９’は、加熱することができる（例えば、プランジャ１６０’又は別の好適な装置を加熱することによる、及び／又はプランジャ１６０’におけるダクト１６２を介してシートに熱気を加えることによる）。例示的な一実施形態において、ライナーシート３０９’を加熱することにより、ライナーシートのヒートシール及び／又は形成、及び／又はライナーシート３０９’上での熱活性接着剤又はヒートシール層の活性化を容易にすることができる。１つの実施形態において、加熱されたライナーシート３０９’をフランジ３５７の上へ押し付けることができるとともに、キャビティ１４２内に向けて側壁３５３及び底壁３５５の上へ押し付けることができる（例えば、図１１Ｂに示されているようにダクト１６２を介してライナーシート３０９’の上で印加される空気圧によって、及び／又は真空ダクト１６２’を介してライナーシート３０９’及び基層３０７の下で印加される真空圧によって）。代替的に、ベース３０７を形成したプランジャ１６０’等の上側ダイは、下方に移動し、ライナーシート３０９’をフランジ３５７に対して押し付けるとともに、キャビティ１４２内に向けて側壁３５３及び底壁３５５に対して押し付けることができる。１つの実施形態において、プランジャ１６０’は、プランジャがライナーシートを基層３０７に対して押し付けるにつれてライナーシート３０９’を加熱することができる。
【００４０】
図示の実施形態では、ライナーシート３０９’はベース３０７に接触することができ（例えば、ライナーシートをベースに対して押し付けることができる）、これにより、接着剤層、ヒートシール層、及び／又は任意の他の好適な取り付け手段がライナーシート３０９’を基層３０７に取り付けてライナー３０９（図１０Ａ）を形成することができる。代替的又は付加的に、ライナーシート３０９’を加熱することにより、ライナーシートを軟化及び／又は融解することができ、これにより、ライナーシートは、基層３０７とともに押圧されるにつれ、基層３０７に少なくとも部分的に融着する。ベース３０７及びライナー３０９が取り付けられた状態で、真空圧及び／又は任意の他の空気圧を停止することができる、及び／又は上側ダイを下側ダイから取り外すことができ、容器３０５を成形工具から取り出すことができる。続いて、別の構造物３５１を下側ダイの上へ移動させることができ、プロセスを繰り返すことができる。容器３０５は、本開示から逸脱することなく、別様に形成することができる。例えば、接着剤をライナーシート３０９’に塗布することができ、プランジャ１６０’は、ライナーシート３０９’を基層３０７に対して押し付けることにより、ライナーシート３０９’を加熱することなくライナー３０９を形成することができる。
【００４１】
１つの実施形態において、ライナー３０９は、フランジ３５７の上面（例えば、中央パネル１１の上面）、側壁３５３の端部パネル１３、１７及びサイドパネル２１、２５のそれぞれ、並びに底壁３５５のボトムパネル３２９、３３３、３７１、３７５のそれぞれに取り付けることができる。１つの実施形態において、ライナー３０９は、ベース３０７を側壁３５３及び底壁３５５の形状で少なくとも部分的に保持することができる。例えば、ライナー３０９は、それぞれのノッチ３８３ａ、３８３ｂ、３８３ｃと係合しているタブ３８５ａ、３８５ｂ、３８５ｃ（例えば、ノッチがタブを収容する）に対してボトムパネル３２９、３３３、３７１、３７５を同一平面上の関係に維持するのに役立つことができる。１つの実施形態において、ノッチに対するタブの係合は、底壁３５５及び容器３０５を全体的に強化するのに役立つことができる。ライナー３０９及び／又は基層３０７を有する容器３０５は、本開示から逸脱することなく、別様な形状、配置、位置、及び／又は構成とすることができる。フランジ３５７と、底壁３５５と、側壁３５３とを有する容器３０５は、一体のボードであるブランク３０３から形成される。幾つかの実施形態において、容器３０５は、フランジ３５７から底壁３５５へ下方に延在する四つの側壁３５３を有する概ね四面の容器とすることができる。容器３０５は、本開示から逸脱することなく、四面以外の形状とすることができる。
【００４２】
図１２は、本開示の第４の実施形態の容器４０５の基層４０７（図１４〜図１７）を形成するブランク４０３の平面図である。第４の実施形態は、言及される変形及び当業者には理解される変形を除いて、先行の実施形態と概ね同様である。したがって、実施形態の同様又は同一の特徴には、同様又は類似の参照符号が付されている。図１２に示されているように、第１の端部パネル１３及び第２の端部パネル１７は、それぞれの折り線４１５、４１９に沿って中央パネル１１に折り曲げ可能につながっており、ブランク４０３は、それぞれの折り線４２３、４２７に沿って中央パネル１１に折り曲げ可能につながっている第１のサイドパネル４２１及び第２のサイドパネル４２５を有することができる。図示の実施形態では、第１のボトムパネル４２９及び第２のボトムパネル４３３は、それぞれの縦折り線３１、３５に沿ってそれぞれの第１のサイドパネル４２１及び第２のサイドパネル４２５に折り曲げ可能につながっており、第３のボトムパネル４７１は、横折り線４７３に沿って第１の端部パネル１３に折り曲げ可能につながっており、第４のボトムパネル４７５は、横折り線４７７に沿って第２の端部パネル１７に折り曲げ可能につながっている。図１２に示されているように、第３のボトムパネル４７１及び第４のボトムパネル４７５は、開口４５内においてそれぞれの第１の端部パネル１３及び第２の端部パネル１７から延在することができるとともに、ボトムパネル４７１、４７５のそれぞれの点に集束する斜め縁部を有することができ、ボトムパネルの点は、開口４５内において互いに当接することができる。代替的に、ボトムパネル４７１、４７５は、別様の形状とすることができる、及び／又は互いに離隔することができる。図示の実施形態では、第１のボトムパネル４２９及び第２のボトムパネル４３３は、それぞれの横縁部のそれぞれの端部へ延在する斜め縁部を有することができる。図１２に示されているように、サイドパネル４２１、４２５は、それぞれの折り線４４１、４４３及びそれぞれの折り線４２３、４２７によって少なくとも部分的に画定されるそれぞれの取り付け部分４３７、４３９を有する。
【００４３】
図１２に示されているように、ブランク４０３は、それぞれの取り付け部分４３７、４３９に隣接するサイドパネル４２１、４２５の端部から延在するスペーサ又は肩部４９０を含む分離構成を有することができる。図示の実施形態では、各肩部４９０は、それぞれのサイドパネル４２１、４２５から延在する横縁部４９１と、横縁部４９１から中央パネル１１へ延在する縦縁部４９３とを有することができる。図１２に示されているように、肩部４９０のそれぞれは、それぞれのサイドパネル４２１、４２５の側部の側縁部４９４から延在する。１つの実施形態において、横縁部４９１のそれぞれは、長さＤ１（図１２及び図１５）を有するフランジ係合縁部を形成することができ、この長さＤ１は、容器が積載して配置されたとき（図１６及び図１７）に別の容器４０５（例えば、被連結容器）のフランジ４５７に係合するために横縁部４９１のそれぞれが容器４０５の側壁４５３から外方へ延在する距離に対応し得る（図１４、図１５、及び図１７）。図１２に示されているように、縦縁部４９３のそれぞれは、横縁部４９１からそれぞれの折り線４４１、４４３へ距離Ｄ２だけ延在することができ、距離Ｄ２は、容器４０５の横縁部４９１とフランジ４５７との間の間隔に対応し得る（図１４、図１５，及び図１７）。肩部４９０を含む分離構成は、本開示から逸脱することなく、別様な形状、配置、位置、及び／又は構成とすることができる。
【００４４】
図１３及び図１４に示されているように、ブランク４０３は、平坦構造物４５１（例えば、折り曲げて接着されたブランク）に形成することができ、これは、容器４０５の基部４０７を形成するように用意される。構造物４５１は、サイドパネル４２１、４２５の取り付け部分４３７、４３９及び／又は取り付け部分４３７、４３９に隣接する中央パネル１１の部分に接着剤（例えば、接着剤片の形態）を塗布し、サイドパネル４２１、４２５をそれぞれの折り線４２３、４２７に沿って中央パネル１１上へ折り曲げることによって形成することができる。取り付け部分４３７、４３９は、接着剤片が取り付け部分４３７、４３９を中央パネル１１に付着させるように、折り曲げて中央パネル１１の下面５２と向かい合わせに接触させることができる。図１３及び図１４に示されているように、サイドパネル４２１、４２５、端部パネル１３、１７、及びボトムパネル４２９、４３３、４７１、４７５は、切り欠き４５に隣接して互いに少なくとも部分的に重なることができる。構造物４５１は、本開示から逸脱することなく、別様に形成することができる。
【００４５】
図１３及び図１４に示されているように、構造物３５１は、コンパクトな収納及び／又は輸送のために、容器４０５を形成するように用意されながら、平坦な状態（例えば、略平坦又は実質的に平坦）とすることができる。図示の実施形態では、容器４０５は、それぞれの折り線４１５、４１９に沿って中央パネル１１に対して端部パネル１３、１７を下方に折り曲げるとともに、それぞれの折り線４４１、４４３に沿って中央パネル１１及び取り付け部分４３７、４３９に対してサイドパネル４２１、４２５の側部を下方に折り曲げることにより、平坦構造物４５１から形成することができる。図１４及び図１５に示されているように、端部パネル１３、１７及びサイドパネル４２１、４２５は、中央パネル１１から概して下方に延在し、少なくとも部分的に重なるボトムパネル４２９、４３３、４７１、４７５から形成される底壁４５５（図１６）の周囲に延在する側壁４５３を少なくとも部分的に形成する。１つの実施形態において、端部パネル１３、１７及びサイドパネル４２１、４２５は、底壁４５５から斜めに（例えば、上方及び下方に）延在することができる。
【００４６】
図１４〜図１７に示されているように、中央パネル１１及び取り付け部分４３７、４３９は、容器４０５のフランジ４５７を形成することができる。図示の実施形態では、フランジ４５７の上面に継ぎ目、プリーツ、折り目、たたみ目、縁部、及びフランジの平滑さを減少させ得る他の特徴部が無くなるように、中央パネル１１の上面がフランジ４５７の上面を形成する。これは、ライナー４０９（図１６）をベース４０７に取り付けるための及び／又は蓋フィルム（図示せず）をフランジ４５７に取り付けるためのより良好な表面をフランジ４５７が提供するのに役立つことができる。１つの実施形態において、容器４０５の内部４５９を閉鎖する蓋フィルム又は他のカバーは、プリーツ、継ぎ目、折り目、たたみ目、縁部、及び／又はカバーとフランジとの間のシールの形成と干渉し得る他の特徴部をフランジが有する場合よりも、フランジ４５７に対してより密着したシールを形成することができる。側壁４５３、底壁４５５、及び／又はフランジ４５７は、本開示から逸脱することなく、省くことができる、又は別様な形状、配置、位置、及び／又は構成とすることができる。更に、フランジ４５７は、容器の周囲に延在する上面を有する一体のボード（例えば、中央パネル１１）を含むことができる。中央パネル１１に接着された取り付け部分４３７、４３９は、フランジ４５７を強化するとともに、容器４０５を強化してその剛性を高める。１つの実施形態において、ベース４０７を形成することができ、ライナーをベース４０７に加えて、先行の実施形態の容器５、３０５のうちの任意のものと同様又は同一の態様で容器４０５を形成することができる。容器４０５は、本開示から逸脱することなく、代替的に形成することができる。
【００４７】
図１６及び図１７に示されているように、容器４０５は、連結又は積載配置４９５で他の容器４０５とともに配置することができ、各容器４０５の側壁４５３及び底壁４５５は、下方の被連結容器４０５の内部４５９において少なくとも部分的に位置決めされる。図１４、図１５、及び図１７に示されているように、肩部４９０は、各容器４０５のフランジ４５７（例えば、それぞれの折り線４４１、４４３）から下方に延在し、分離構成を形成する。図示の実施形態では、肩部４９０は、容器４０５の側壁４５３の角部のそれぞれから外方に距離Ｄｌだけ延在し、容器４０５のフランジ４５７から下方に距離Ｄ２だけ延在する。したがって、上方の容器４０５の端部パネル１３、１７が下方の被連結容器４０５のそれぞれの端部パネル１３，１７の内部表面に隣接して位置決めされると、肩部４９０の横縁部４９１は、上方の容器４０５の側壁４５３から下方の容器４０５のフランジ４５７の上に外方へ延在する。図示の実施形態では、肩部４９０は、下方の容器４０５に対して横縁部４９１で上方の容器４０５を支持できる（例えば、上方の容器の横縁部４９１が下方の容器の中央パネル１１の上面と係合できる）とともに、下方の被連結容器４０５の内部４５９へ上方の容器４０５が更に移動することを防ぐことができる。図１６及び図１７に示されているように、肩部４９０は、積載配置４９５において隣接する容器４０５のフランジ４５７間に分離隙間４９７を形成することができる。１つの実施形態において、各隙間４９７の高さは、各肩部４９０の横縁部４９１とそれぞれの折り線４４１、４４３との間の距離Ｄ２と等しい（例えば、略等しい、又は実質的に等しい）ものとすることができる。積載配置４９５及び／又は肩部４９０のうちの任意のものは、本開示から逸脱することなく、別様な形状、配置、位置、及び／又は構成とすることができる。
【００４８】
１つの実施形態において、積載配置における肩部４９０によって形成された分離隙間４９７は、積載配置４９５から容器４０５を離すこと（例えば、容器４０５の分離）を容易にすることができる。例えば、肩部４９０が省かれた場合、容器４０５は、それぞれの下方の容器４０５の内部４５９内へ更に移動することができ、これにより、容器４０５に隣接するフランジ４５７は、互いに隣接して位置決めすることができる（例えば、隣接するフランジ４５７を、短い距離だけ離隔する、又は接触若しくは係合させることができる）。肩部４９０によって形成される分離隙間４９７が無い場合、積載された容器４０５のフランジ４５７を掴んで容器を引き離すことが困難となる可能性がある、及び／又は分離装置（図示せず）が容器４０５を離すために２つのフランジ４５７間で移動することがより困難となる可能性がある。図示の実施形態では、分離隙間４９７により、使用者は、容器４０５のうちの１つ（例えば、最も上の容器）のフランジ４５７を掴んで容器４０５をそのフランジ４５７によって積載配置４９５から引き離すことがより容易となる。代替的又は付加的に、分離隙間４９７は、分離デバイス（図示せず）が積載配置４９５における２つの隣接する容器４０５のフランジ４５７間を移動する空間を提供し、これにより、分離デバイスが容器４０５をそれらのフランジ４５７で押し離し得る。
【００４９】
本開示の種々の実施形態の特徴のうちの任意のものは、本開示の範囲から逸脱することなく、組み合わせたり、置き換えたり、又は本開示の他の実施形態の他の特徴を有して別様に構成したりすることができる。
【００５０】
任意選択的に、本明細書に記載又は本明細書によって想定されるブランク又は他の構造物の１つ以上の部分は、ワニス、クレー、又は他の材料を単独で又は組み合わせてコーティングしてもよい。その場合、コーティングは、製品広告又は他の情報又は画像とともに重ねて印刷してもよい。ブランク又は他の構造物はまた、ブランクの表面積全体未満又は実質的にブランクの表面積全体がコーティング及び／又は印刷され得るように選択的にコーティング及び／又は印刷してもよい。
【００５１】
本開示のブランク、容器又は他の構造物のうちの任意のものは、トレイ又は他の構造物に関連付けられる食品の加熱又は調理中にマイクロ波エネルギーの効果を変える、１つ以上の機能部を任意選択的に含むことができる。例えば、ブランク、トレイ、容器又は他の構造物は、１つ以上のマイクロ波エネルギー相互作用要素（以下では「マイクロ波相互作用要素」と称する場合がある）から少なくとも部分的に形成することができ、１つ以上のマイクロ波エネルギー相互作用要素は、食品の特定のエリアの加熱、焦げ目付け及び／又はカリカリ仕上げを促進するか、食品の特定エリアの焼き過ぎ（ｏｖｅｒｃｏｏｋｉｎｇ）を防ぐようにその食品の特定のエリアをマイクロ波エネルギーから遮蔽するか、又は、食品の特定のエリアに向けて若しくは食品の特定のエリアから離してマイクロ波エネルギーを送る。各マイクロ波相互作用要素は、特定の構造物及び食品に対する必要若しくは所望に応じて、マイクロ波エネルギーを吸収するか、マイクロ波エネルギーを送るか、マイクロ波エネルギーを反射するか、又はマイクロ波エネルギーを向けるように、特定の構成に配置される１つ以上のマイクロ波エネルギー相互作用材料又はセグメントを含む。
【００５２】
サセプタ又はシールドの場合、マイクロ波エネルギー相互作用材料は、導電性又は半導性材料、例えば真空蒸着金属若しくは合金、又は金属インク、有機インク、無機インク、金属ペースト、有機ペースト、無機ペースト、又はそれらの任意の組合せを含むことができる。好適であるものとすることができる金属及び合金の例としては、アルミニウム、クロム、銅、インコネル合金（ニオブを含有する、ニッケル−クロム−モリブデン合金）、鉄、マグネシウム、ニッケル、ステンレス鋼、スズ、チタン、タングステン及びそれらの任意の組合せ又は合金が挙げられるが、それらに限定されない。
【００５３】
代替的には、マイクロ波エネルギー相互作用材料は、任意選択的に導電性材料と併せて使用される金属酸化物、例えばアルミニウム、鉄及びスズの酸化物を含むことができる。好適であるものとすることができる別の金属酸化物はインジウムスズ酸化物（ＩＴＯ）である。ＩＴＯは、より均一な結晶構造を有するため、ほとんどのコーティング厚さにおいて透明である。
【００５４】
更に代替的には、マイクロ波エネルギー相互作用材料は、好適な導電性、半導性若しくは非導電性の人工誘電体又は強誘電体を含むことができる。人工誘電体は、重合体又は他の好適なマトリクス又はバインダー中に導電性の細分された材料を含み、導電性金属、例えばアルミニウムのフレークを含むことができる。
【００５５】
他の実施形態では、マイクロ波エネルギー相互作用材料は、例えば米国特許第４，９４３，４５６号、同第５，００２，８２６号、同第５，１１８，７４７号及び同第５，４１０，１３５号に開示されているように炭素を主成分とすることができる。
【００５６】
更に他の実施形態では、マイクロ波エネルギー相互作用材料は、電子レンジ内で電磁エネルギーの磁気部分と相互作用することができる。この種類の正しく選択されている材料は、材料のキュリー温度に達すると相互作用を失うことに基づいて自己制限することができる。そのような相互作用コーティングの例が米国特許第４，２８３，４２７号に記載されている。
【００５７】
他のマイクロ波エネルギー相互作用要素の使用も意図される。一例では、マイクロ波エネルギー相互作用要素は、衝突するマイクロ波エネルギーの大部分を反射するのに十分な厚さを有する、箔又は高い光学密度の蒸発材料を含むことができる。そのような要素は通常、約０．０００２８５インチ〜約０．００５インチ、例えば約０．０００３インチ〜約０．００３インチの厚さを概ね有する中実の「パッチ」の形態の、導電性の反射金属又は合金、例えばアルミニウム、銅又はステンレス鋼から形成される。他のそのような要素は、約０．０００３５インチ〜約０．００２インチ、例えば０．００１６インチの厚さを有することができる。
【００５８】
いくつかの場合では、マイクロ波エネルギー反射（又は反射性）要素は、食品が加熱中に焦げやすいか又は乾ききってしまいやすい場合、遮蔽要素として用いることができる。他の場合では、マイクロ波エネルギーを拡散するか又はその強度を低下させるために、より小さいマイクロ波エネルギー反射要素を用いることができる。そのようなマイクロ波エネルギー反射要素を用いる一例の材料が、Ｇｒａｐｈｉｃ  Ｐａｃｋａｇｉｎｇ  Ｉｎｔｅｒｎａｔｉｏｎａｌ社（ジョージア州アトランタ所在）から、ＭｉｃｒｏＲｉｔｅ（商標）パッケージング材料という商標名で市販されている。他の例では、マイクロ波エネルギーを食品の特定のエリアに誘導するために、複数のマイクロ波エネルギー反射要素を配置してマイクロ波エネルギー分散要素を形成することができる。所望であれば、そのループは、マイクロ波エネルギーを共鳴させる長さを有することができ、それによって、分散効果を高める。マイクロ波エネルギー分散要素は、米国特許第６，２０４，４９２号、同第６，４３３，３２２号、同第６，５５２，３１５号及び同第６，６７７，５６３号に記載されており、これらはそれぞれ引用することによってその全体が本明細書の一部をなす。
【００５９】
所望であれば、本明細書に記載されるか又は本明細書によって意図される多くのマイクロ波エネルギー相互作用要素のいずれかを、実質的に連続的にする、すなわち実質的な破断部若しくは中断部を有しないものとすることができるか、又は例えばマイクロ波エネルギーを透過させる１つ以上の破断部若しくは開口を含むことによって不連続的とすることができる。破断部又は開口は、構造体全体を貫通するか、又は１つ以上の層のみを貫通することができる。そのような破断部又は開口の数、形状、サイズ及び位置決めは、形成される構造物の種類、構造物内若しくは構造物上で加熱される食品、加熱、焦げ目付け及び／又はカリカリ仕上げの所望の程度、食品の均一な加熱を達成するためにマイクロ波エネルギーへの直接暴露が必要又は望ましいか否か、直接加熱による食品の温度変化の調節の必要性、並びに通気する必要があるのか否か、またどの程度までその必要があるのかに応じて、特定の用途に関して変わることができる。
【００６０】
例示として、マイクロ波エネルギー相互作用要素は、食品の誘電加熱を行うために１つ以上の透過性エリアを含むことができる。しかし、マイクロ波エネルギー相互作用要素がサセプタを含む場合、そのような開口は全体的なマイクロ波エネルギー相互作用エリアを減らすため、食品の表面を加熱、焦げ目付け及び／又はカリカリ仕上げするために利用可能なマイクロ波エネルギー相互作用材料の量が減る。したがって、特定の食品の所望の全体的な加熱特性を達成するために、マイクロ波エネルギー相互作用エリア及びマイクロ波エネルギー透過性エリアの相対的な量のバランスをとることができる。
【００６１】
別の例として、マイクロ波エネルギーが、焦げ目付け及び／又はカリカリ仕上げされることが意図されない食品の部分又は加熱環境に失われるのではなく、加熱、焦げ目付け及び／又はカリカリ仕上げされるべきエリアに効率的に集中することを確実にするために、サセプタの１つ以上の部分をマイクロ波エネルギー不活性であるように設計することができる。加えて、又は代替的には、食品、及び／又はサセプタを含む構造物の過熱又は炭化を防ぐように１つ以上の不連続部又は不活性領域を作ることが有益である場合がある。
【００６２】
更に別の例として、サセプタは、サセプタ内での亀裂の伝播を制限し、それによって、サセプタの、食品への伝熱が少なくサセプタが高温になり過ぎる傾向があるエリアにおける過熱を制御する１つ以上の「ヒューズ」要素を組み込むことができる。ヒューズのサイズ及び形状は必要に応じて変えることができる。そのようなヒューズを含むサセプタの例は、例えば、米国特許第５，４１２，１８７号、米国特許第５，５３０，２３１号、２００８年２月１４日に公開された米国特許出願公開第２００８／００３５６３４号、及び２００７年１１月８日に公開されたＰＣＴ出願公開第２００７／１２７３７１号において提供されており、これらはそれぞれ引用することによってその全体が本明細書の一部をなす。
【００６３】
本明細書に提示されている寸法に関する情報の全ては、本開示の種々の実施形態の或る特定の態様、形状部等の例示を意図するものであり、本開示の範囲の限定は意図していない。ブランク、容器、成形工具、形状部の寸法、又は任意の他の寸法は、本開示の範囲から逸脱することなく本開示に図示及び記載のものよりも大きく又は小さくすることができ、本開示の範囲から逸脱することなく各形状部の列挙されている寸法の範囲内又は各形状部の列挙されている寸法の範囲外とすることができる。
【００６４】
本発明に係るブランクは、例えば、コーティングがされた板紙及び同様の材料から形成することができる。例えば、ブランクの内面及び／又は外面をクレーコートでコーティングすることができる。次に、クレーコート上に製品、広告、価格コード、及び他の情報又は画像を印刷してもよい。次に、ブランクに印刷されているあらゆる情報を保護するように、ブランクをワニスでコーティングすることができる。ブランクの片面又は両面を、例えば防湿層でコーティングすることもできる。
【００６５】
例示的な実施形態によると、ブランクは、通常の紙よりも重く硬質であるような厚さ（ｃａｌｉｐｅｒ）の板紙で作製してもよい。ブランクは、ボール紙、硬化紙等の他の材料、又はカートンパッケージが少なくとも概して上述したように機能することを可能にするのに適した特性を有する任意の他の材料で作製することもできる。
【００６６】
前述の説明は、本開示の種々の実施形態を例示及び説明するものである。本開示の範囲から逸脱することなく、種々の変更を上記構成内でなし得るので、上記説明に含まれるか又は添付図面に示されている全ての事項が、限定的な意味ではなく例示として解釈されることが意図される。更に、本開示の範囲は、上述の実施形態の種々の変更形態、組合せ及び変形形態等をカバーする。加えて、本開示は、選択された実施形態のみを図示及び説明しているが、種々の他の組合せ、変更形態及び環境が意図され、本明細書で述べられているような発明概念の範囲内にあり、上記教示と同等であり、及び／又は関連技術分野の技術若しくは知識内にある。更に、本開示の範囲から逸脱することなく、各実施形態の或る特定の特徴及び特性を選択的に入れ替え、他の説明された実施形態及び説明されていない実施形態に適用することができる。
【図１】
2021533041.tif 000003
【図２】
2021533041.tif 000004
【図３】
2021533041.tif 000005
【図４】
2021533041.tif 000006
【図５】
2021533041.tif 000007
【図６】
2021533041.tif 000008
【図７】
2021533041.tif 000009
【図８】
2021533041.tif 000010
【図９】
2021533041.tif 000011
【図１０Ａ】
2021533041.tif 000012
【図１０Ｂ】
2021533041.tif 000013
【図１１Ａ】
2021533041.tif 000014
【図１１Ｂ】
2021533041.tif 000015
【図１２】
2021533041.tif 000016
【図１３】
2021533041.tif 000017
【図１４】
2021533041.tif 000018
【図１５】
2021533041.tif 000019
【図１６】
2021533041.tif 000020
【図１７】
2021533041.tif 000021
【国際調査報告】
2021533041.tif 000022
2021533041.tif 000023
2021533041.tif 000024